(57)【要約】【課題】  レジューム機能を有効にしてコンテンツの再生を再開する場合に、急に大きな音量でコンテンツが再生されるのを防止して、ユーザーの負担を軽減することができる記録媒体再生装置を提供する。【解決手段】  記録媒体再生装置は、音声制御部が、媒体再生部がコンテンツを再生している場合に出力音声データの再生音量レベルＳを逐次検出し、媒体再生部がレジューム機能を有効にして記録媒体からの再生を停止位置Ａで停止する場合に、制御部が、停止位置Ａでの再生音量レベルＳＡを記憶し、停止位置Ａでの再生音量レベルＳＡが所定の設定レベル値Ｓ０よりも大きい場合には、再生音量レベルＳＢが設定レベル値Ｓ０よりも小さい停止位置Ａよりも前の再生位置Ｂに再生位置を補正し、媒体再生部が再生位置Ｂからコンテンツの再生を再開する。【選択図】  図２
2013225367.tif 000002
【特許請求の範囲】
【請求項１】
記録媒体に記録されたコンテンツを再生する記録媒体再生装置であって、
再生する該コンテンツを所定の停止位置で停止して該停止位置を記憶し、かつ、該停止位置から再生を再開するレジューム機能を少なくとも含む制御部と、該制御部から該再生及び該停止を制御される媒体再生部と、該媒体再生部からの出力音声データが入力される音声制御部と、を備え、
該音声制御部が、該媒体再生部が該コンテンツを再生している場合に該出力音声データの再生音量レベルＳを逐次検出し、該媒体再生部が該レジューム機能を有効にして該記録媒体からの再生を停止位置Ａで停止する場合に、該制御部が、該停止位置Ａでの再生音量レベルＳＡを記憶し、該停止位置Ａでの該再生音量レベルＳＡが所定の設定レベル値Ｓ０よりも大きい場合には、再生音量レベルＳＢが該設定レベル値Ｓ０よりも小さい該停止位置Ａよりも前の再生位置Ｂに該再生位置を補正し、該媒体再生部が該再生位置Ｂから該コンテンツの再生を再開する、
記録媒体再生装置。
【請求項２】
前記媒体再生部が前記レジューム機能を有効にして前記記録媒体からの再生を前記停止位置Ａで停止する場合に、前記制御部が、前記音声制御部の出力をミュートするとともに、該媒体再生部を該停止位置Ａから所定時間後まで先読み再生を続けさせて、該停止位置Ａを含む所定時間幅における平均値を、前記出力音声データの前記再生音量レベルＳＡとして検出する、
請求項１に記載の記録媒体再生装置。
【請求項３】
前記制御部が、前記設定レベル値Ｓ０と、前記停止位置Ａから前記再生位置Ｂまで遡る補正を許容する補正幅Ｔと、を少なくとも設定するレジューム設定部を含み、
前記媒体再生部が前記レジューム機能を有効にして前記記録媒体からの再生を停止位置Ａで停止する場合に、該制御部が、該停止位置Ａから該補正幅Ｔの範囲に該レジューム設定部での設定条件を全て満たす位置が存在すると判断する場合には、該再生位置Ｂを設定する、
請求項１または２に記載の記録媒体再生装置。
【請求項４】
前記制御部の前記レジューム設定部が、前記設定レベル値Ｓ０以下の再生音量レベルＳが継続する時間Ｓ０ｔと、ダイナミックレンジ圧縮機能の有効／無効の切替設定と、をさらに含む、
請求項３に記載の記録媒体再生装置。
【請求項５】
前記制御部が、前記停止位置Ａから前記補正幅Ｔの範囲に前記レジューム設定部での設定条件を全て満たす位置が存在しないと判断する場合には、前記音声制御部が該停止位置Ａでの再生音量レベルＳＡを下げるダイナミックレンジ圧縮機能を有効にし、該媒体再生部が該再生位置Ａから該コンテンツの再生を再開する、
請求項３または４に記載の記録媒体装置。
【請求項６】
前記媒体再生部が前記再生位置Ａから前記コンテンツの再生を再開した所定時間後に、前記制御部が前記音声制御部の前記ダイナミックレンジ圧縮機能を無効にする、
請求項５に記載の記録媒体装置。
【発明の詳細な説明】
【技術分野】
【０００１】
本発明は、記録媒体に記録されたコンテンツを再生する記録媒体再生装置に関し、特に、直前に再生を停止したところから再生を再開するレジューム機能を含む記録媒体再生装置に関する。
【背景技術】
【０００２】
ＣＤプレーヤー、あるいは、ＤＶＤプレーヤー、等の音響再生装置、または、ＨＤＤビデオレコーダー、等の映像記録再生装置、などを含む記録媒体再生装置は、メディア、あるいは、メモリ等を含む何らかの記録媒体にコンテンツを記録してコンテンツを再生する。記録媒体再生装置では、コンテンツを視聴するユーザーがコンテンツの再生を停止する場合に、再生をその停止位置から再開するようにすることで、一度再生を停止したとしても継続的にコンテンツの視聴ができるようにするレジューム機能を有するものがある。
【０００３】
記録媒体再生装置でレジューム機能が無い場合には、コンテンツを再生して視聴するユーザーは、一時的に再生を停止する位置を記憶する、あるいは、メモをとる等の対策が必要になる。さらに再生を再開する場合には、ユーザーは、その一時停止位置までコンテンツ再生の頭出しを行う必要があり、不便である。また、記録媒体再生装置でレジューム機能を有する場合には、ユーザーは、一度再生を停止したとしても視聴を再開すべき再生位置を自ら探す必要がなくなる利点がある。
【０００４】
例えば、従来には、情報記録媒体に記録されたコンテンツデータを再生する再生装置において、前記情報記録媒体に記録された再生付加情報を読み出す読み出し手段と、前記読み出し手段によって読み出された前記再生付情報に基づき、再生環境を設定する設定手段と、前記設定手段によって設定された再生環境の下で、前記情報記録媒体に記録された前記コンテンツデータを再生する再生手段を含むことを特徴とする再生装置がある（特許文献１）。この再生付加情報は、画質に関する設定値、音量および音質に関する設定値、映像のチャンネルの選択、音声のチャンネルの選択、字幕言語の選択、ＤＣＳの設定値、ブックマークの位置、並びにレジューム情報のうちの少なくとも１つを含むものであってもよい。
【０００５】
【特許文献１】特開２００３−５９１９１号公報
【０００６】
しかしながら、レジューム機能を有する記録媒体再生装置において、レジューム機能を利用してコンテンツの視聴を再開する場合に、コンテンツに含まれる再生音量が著しく大きい場面で停止していると、再生が始まったとたんに大きな音がスピーカーあるいはヘッドホンから再生されることになる。その結果、停止状態から再生状態への変化で極めて大きな音量変化になるので、操作するユーザーは、コンテンツ音声の再生が始まることを予期していたとしても、少なからず驚いてしまうという問題がある。また、操作するユーザー以外に同時に視聴するユーザーにとっては、静かなところから大音量とともに突然にコンテンツ再生が始まったと感じてしまうので、比較的に小さな音量であっても再生音に驚いてしまい、心理的に負担となる場合がある。
【０００７】
コンテンツの再生音量を調整する音声ボリュームは、レジューム機能の有無、あるいは、コンテンツの再生位置にかかわらずに一定に設定できて、変更しないことが望ましい。ただし、記録媒体再生装置においては、コンテンツの音声のダイナミックレンジを圧縮して、音量の急激な増大を軽減する機能を有するものがある。しかしながら、単にレジューム機能での再生開始時の音量の急激な増加だけを軽減したいと望むユーザーにとっては、この機能をいちいち設定・解除するのは大変に面倒である。
【発明の概要】
【発明が解決しようとする課題】
【０００８】
本発明は、上記の従来技術が有する問題を解決するためになされたものであり、その目的は、記録媒体再生装置において、レジューム機能を有効にしてコンテンツの再生を再開する場合に、急に大きな音量でコンテンツが再生されるのを防止して、ユーザーの負担を軽減することができる記録媒体再生装置を提供することにある。
【課題を解決するための手段】
【０００９】
本発明の記録媒体再生装置は、記録媒体に記録されたコンテンツを再生する記録媒体再生装置であって、再生するコンテンツを所定の停止位置で停止して停止位置を記憶し、かつ、停止位置から再生を再開するレジューム機能を少なくとも含む制御部と、制御部から再生及び停止を制御される媒体再生部と、媒体再生部からの出力音声データが入力される音声制御部と、を備え、音声制御部が、媒体再生部がコンテンツを再生している場合に出力音声データの再生音量レベルＳを逐次検出し、媒体再生部がレジューム機能を有効にして記録媒体からの再生を停止位置Ａで停止する場合に、制御部が、停止位置Ａでの再生音量レベルＳＡを記憶し、停止位置Ａでの再生音量レベルＳＡが所定の設定レベル値Ｓ０よりも大きい場合には、再生音量レベルＳＢが設定レベル値Ｓ０よりも小さい停止位置Ａよりも前の再生位置Ｂに再生位置を補正し、媒体再生部が再生位置Ｂからコンテンツの再生を再開する。
【００１０】
好ましくは、本発明の記録媒体再生装置は、媒体再生部がレジューム機能を有効にして記録媒体からの再生を停止位置Ａで停止する場合に、制御部が、音声制御部の出力をミュートするとともに、媒体再生部を停止位置Ａから所定時間後まで先読み再生を続けさせて、停止位置Ａを含む所定時間幅における平均値を、出力音声データの再生音量レベルＳＡとして検出する。
【００１１】
好ましくは、本発明の記録媒体再生装置は、制御部が、設定レベル値Ｓ０と、停止位置Ａから再生位置Ｂまで遡る補正を許容する補正幅Ｔと、を少なくとも設定するレジューム設定部を含み、媒体再生部がレジューム機能を有効にして記録媒体からの再生を停止位置Ａで停止する場合に、制御部が、停止位置Ａから補正幅Ｔの範囲にレジューム設定部での設定条件を全て満たす位置が存在すると判断する場合には、再生位置Ｂを設定する。
【００１２】
また、好ましくは、本発明の記録媒体再生装置は、制御部のレジューム設定部が、設定レベル値Ｓ０以下の再生音量レベルＳが継続する時間Ｓ０ｔと、ダイナミックレンジ圧縮機能の有効／無効の切替設定と、をさらに含む。
【００１３】
また、好ましくは、本発明の記録媒体再生装置は、制御部が、停止位置Ａから補正幅Ｔの範囲にレジューム設定部での設定条件を全て満たす位置が存在しないと判断する場合には、音声制御部が停止位置Ａでの再生音量レベルＳＡを下げるダイナミックレンジ圧縮機能を有効にし、媒体再生部が再生位置Ａからコンテンツの再生を再開する。
【００１４】
また、好ましくは、本発明の記録媒体再生装置は、媒体再生部が再生位置Ａからコンテンツの再生を再開した所定時間後に、制御部が音声制御部のダイナミックレンジ圧縮機能を無効にする。
【００１５】
以下、本発明の作用について説明する。
【００１６】
本発明の記録媒体再生装置は、記録媒体に記録されたコンテンツを再生する記録媒体再生装置であって、再生するコンテンツを所定の停止位置で停止して停止位置を記憶し、かつ、停止位置から再生を再開するレジューム機能を少なくとも含む制御部と、制御部から再生及び停止を制御される媒体再生部と、媒体再生部からの出力音声データが入力される音声制御部と、を備える。したがって、記録媒体再生装置を操作するユーザーは、一度再生を停止したとしても視聴を再開すべき再生位置を自ら探す必要がなくなり、継続的にコンテンツの視聴ができるようになる。
【００１７】
この記録媒体再生装置では、音声制御部が、媒体再生部がコンテンツを再生している場合に出力音声データの再生音量レベルＳを逐次検出する。その結果、ユーザーがレジューム機能を有効にし、媒体再生部を操作して、記録媒体からの再生を停止位置Ａで停止する場合に、制御部が、停止位置Ａでの再生音量レベルＳＡを記憶することができる。制御部は、停止位置Ａでの再生音量レベルＳＡが所定の設定レベル値Ｓ０よりも大きい場合には、再生音量レベルＳＢが設定レベル値Ｓ０よりも小さい停止位置Ａよりも前の再生位置Ｂに再生位置を補正し、媒体再生部が再生位置Ｂからコンテンツの再生を再開する。したがって、ユーザーがレジューム機能を利用してコンテンツの視聴を再開する場合に、コンテンツに含まれる再生音量が著しく大きい停止位置Ａで停止しても、音量が小さい停止位置Ａよりも前の再生位置Ｂから再生が始まるので、ユーザーは大きなコンテンツ音声の音量レベルに驚くことなく再生が可能になり、心理的な負担も小さくすることができる。
【００１８】
この記録媒体再生装置では、媒体再生部がレジューム機能を有効にして記録媒体からの再生を停止位置Ａで停止する場合に、制御部が、音声制御部の出力をミュートするとともに、媒体再生部を停止位置Ａから所定時間後まで先読み再生を続けさせるように制御する。その結果、停止位置Ａを含む所定時間幅における平均値を、出力音声データの再生音量レベルＳＡとして検出することができる。したがって、停止位置Ａの前後の平均値としての再生音量レベルＳＡを検出することで、停止位置Ａでの瞬間的な再生音量レベルが低くても、上述のような適切な音量でのレジューム再生が可能になる。
【００１９】
この記録媒体再生装置では、制御部が、設定レベル値Ｓ０と、停止位置Ａから再生位置Ｂまで遡る補正を許容する補正幅Ｔと、を少なくとも設定するレジューム設定部を含むようにするのが好ましい。また、レジューム設定部は、設定レベル値Ｓ０以下の再生音量レベルＳが継続する時間Ｓ０ｔと、ダイナミックレンジ圧縮機能の有効／無効の切替設定と、をさらに含むのが好ましい。ユーザーは、レジューム機能を有効に設定する場合に、大きな音量で再生される時間がある程度続いた場合に、どの程度の時間を停止位置Ａから再生位置Ｂまで遡るかという条件（補正幅Ｔ）を設定できるようになる。媒体再生部は、レジューム機能を有効にして記録媒体からの再生を停止位置Ａで停止する場合に、制御部が、停止位置Ａから補正幅Ｔの範囲にレジューム設定部での設定条件を全て満たす位置が存在すると判断する場合には、再生位置Ｂを設定する。したがって、任意の停止位置Ａでの再生音量レベルＳＡを考慮して、再生音量レベルＳＢが設定値Ｓ０よりも低い再生位置Ｂまで遡るとしても、本来のレジューム機能を逸脱しない範囲内で、かつ、音量による心理的な負担をかけることなく継続的にコンテンツの視聴ができるようになる。
【００２０】
また一方で、この記録媒体再生装置では、制御部が、停止位置Ａから補正幅Ｔの範囲にレジューム設定部での設定条件を全て満たす位置が存在しないと判断する場合には、音声制御部が停止位置Ａでの再生音量レベルＳＡを下げるダイナミックレンジ圧縮機能を有効にし、媒体再生部が再生位置Ａからコンテンツの再生を再開するようにすればよい。一時的にダイナミックレンジ圧縮機能を有効にすれば、レジューム機能でコンテンツの視聴を再開する場合に、コンテンツに含まれる再生音量が著しく大きい停止位置Ａで停止しても、小さい音量で再生が始まるので、ユーザーは突然の大きなコンテンツ音声の音量レベルに驚くことがなく、心理的な負担も小さくすることができる。
【００２１】
なお、媒体再生部が再生位置Ａからコンテンツの再生を再開した所定時間後に、制御部が音声制御部のダイナミックレンジ圧縮機能を無効にするようにすればよい。単にレジューム機能での再生開始時の音量の急激な増加だけを軽減したいと望むユーザーにとっても、ダイナミックレンジ圧縮機能をいちいち設定・解除する必要が無くなり、便利になるという利点がある。
【発明の効果】
【００２２】
本発明の記録媒体再生装置は、レジューム機能を有効にしてコンテンツの再生を再開する場合に、急に大きな音量でコンテンツが再生されるのを防止して、ユーザーの負担を軽減することができる。
【図面の簡単な説明】
【００２３】
【図１】本発明の好ましい実施形態による記録媒体再生装置１について説明する図である。（実施例１）
【図２】本発明の好ましい実施形態による記録媒体再生装置１でのレジューム機能による再生動作について説明する図である。（実施例１）
【図３】本発明の好ましい実施形態による記録媒体再生装置１でのレジューム機能による再生動作について説明する図である。（実施例１）
【図４】本発明の好ましい実施形態による記録媒体再生装置１の制御回路での再生動作中のフローチャートである。（実施例１）
【図５】本発明の好ましい実施形態による記録媒体再生装置１の制御回路でのレジューム停止時のフローチャートである。（実施例１）
【図６】本発明の好ましい実施形態による記録媒体再生装置１の制御回路でのレジューム再生時のフローチャートである。（実施例１）
【発明を実施するための形態】
【００２４】
以下、本発明の好ましい実施形態による記録媒体再生装置について説明するが、本発明はこれらの実施形態には限定されない。
【実施例１】
【００２５】
図１は、本発明の好ましい実施形態による記録媒体再生装置１について説明する図であり、具体的には、記録媒体再生装置１の構成を示すブロック図である。また、図２および３は、記録媒体再生装置１でのレジューム機能による再生動作について説明する図であり、図４〜６は、それぞれ記録媒体再生装置１の制御回路での再生動作中、または、レジューム停止時、または、レジューム再生時のフローチャートである。なお、説明に不要な一部の構造や、内部構造等は、図示ならびに説明を省略している。
【００２６】
本実施例の記録媒体再生装置１は、（図示しない）ＣＤあるいはＤＶＤといったディスク記録媒体に記録されたコンテンツを再生するディスクプレイヤーである。記録媒体再生装置１は、制御部であるマイコン２と、媒体再生部であるディスクドライブ３と、音声制御部であるＤＳＰ（デジタルシグナルプロセッサー）４、と、を備える。ディスクドライブ３は、マイコン２から再生及び停止を制御されて、その音声出力である出力音声データをＤＳＰ４に入力する。ＤＳＰ４の出力は、記録媒体再生装置１の出力端子５に出力されて、（図示しない）増幅器および（図示しない）スピーカーにより音声として再生される。なお、映像データの処理については、説明および図示を省略する。
【００２７】
具体的には、マイコン２には、記録媒体再生装置１の制御に必要なデータを記憶するメモリ６が接続する。また、マイコン２は、ユーザーからの操作入力を受けて記録媒体再生装置１を制御し、ディスクドライブ３で再生するコンテンツを所定の停止位置で停止して停止位置を記憶し、かつ、停止位置から再生を再開するレジューム機能制御部７を少なくとも含む。レジューム機能制御部７は、以下に説明するようなレジューム機能の動作フローを含む。また、ＤＳＰ４は、ディスクドライブ３からの出力音声データを受けて、この出力音声データの再生音量レベルを検出するレベル検出機能部８と、出力音声データの再生音量レベルを下げるダイナミックレンジ圧縮機能部９と、を少なくとも含む。
【００２８】
レジューム機能制御部７、レベル検出機能部８、および、ダイナミックレンジ圧縮機能部９は、それぞれ所定のプログラムを実行することで実現される。メモリ６は、マイコン２のレジューム機能を設定するレジューム設定部を含み、レジューム機能の有効／無効の切り替え設定の他に、後述する再生音量レベルの設定レベル値Ｓ０と、停止位置Ａから再生位置Ｂまで遡る補正を許容する補正幅Ｔと、設定レベル値Ｓ０以下の再生音量レベルＳが継続する時間Ｓ０ｔと、ダイナミックレンジ圧縮機能の有効／無効の切替設定と、を設定することができる。
【００２９】
図２を参照して、記録媒体再生装置１でのレジューム機能による再生動作について説明する。図２（ａ）は、ディスクドライブ３でコンテンツを再生する場合に、横軸を再生時間とし、縦軸をＤＳＰ４のレベル検出機能部８での出力音声データの再生音量レベルＳとして、再生音量レベルＳの変化を模式的に示す図である。また、図２（ｂ）は、図２（ａ）に対応してディスクドライブ３でのコンテンツのレジューム機能による再生動作を模式的に示す図である。ＤＳＰ４のレベル検出機能部８では、ディスクドライブ３がコンテンツを再生している場合に出力音声データの再生音量レベルＳを逐次検出するので、記録媒体再生装置１では再生音量レベルＳを参照したレジューム再生が可能になる。
【００３０】
図２に図示するのは、ユーザーがレジューム機能を有効に設定した状態で、記録媒体からの再生を停止位置Ａで停止する場合である。再生音量レベルの設定レベル値Ｓ０は、コンテンツの再生音量レベルであって、ユーザーがある程度大きくて突然に再生が始まると驚く可能性があると感じる場合の再生音量レベルに対応する設定レベルである。停止位置Ａでは、停止位置Ａでの再生音量レベルＳＡが設定レベル値Ｓ０よりも大きいので、再び停止位置Ａからレジューム再生を始めると、停止状態から再生状態への変化で極めて大きな音量変化になるので、操作するユーザーは、コンテンツ音声の再生が始まることを予期していたとしても、少なからず驚いてしまう。そこで、この記録媒体再生装置１では、図２（ｂ）に図示するように、再生音量レベルＳＢが設定レベル値Ｓ０よりも小さい停止位置Ａよりも前の再生位置Ｂに再生位置を補正し、媒体再生部が再生位置Ｂからコンテンツの再生を再開する。したがって、ユーザーがレジューム機能を利用してコンテンツの視聴を再開する場合に、コンテンツに含まれる再生音量が著しく大きい停止位置Ａで停止しても、音量が小さい停止位置Ａよりも前の再生位置Ｂから再生が始まるので、ユーザーは大きなコンテンツ音声の音量レベルに驚くことなく再生が可能になり、心理的な負担も小さくすることができる。
【００３１】
図２に図示する場合は、停止位置Ａから再生位置Ｂまで遡る補正を許容する設定した補正幅Ｔの範囲に、再生音量レベルＳが設定レベル値Ｓ０よりも小さい停止位置Ａよりも前の再生位置Ｂが存在する場合である。ディスクドライブ３は、レジューム機能を有効にして記録媒体からの再生を停止位置Ａで停止する場合に、マイコン２が、停止位置Ａから補正幅Ｔの範囲にレジューム設定部での設定条件を全て満たす位置が存在すると判断する場合には、再生位置Ｂを設定する。したがって、任意の停止位置Ａでの再生音量レベルＳＡを考慮して、再生音量レベルＳＢが設定値Ｓ０よりも低い再生位置Ｂまで遡るとしても、本来のレジューム機能を逸脱しない範囲内で、かつ、音量による心理的な負担をかけることなく継続的にコンテンツの視聴ができるようになる。
【００３２】
一方で、図３（ａ）に図示する場合のように、再生音量レベルＳが設定レベル値Ｓ０よりも大きくなる時間が長く継続しているところで停止すると、停止位置Ａの前であって補正幅Ｔの範囲に、再生音量レベルＳが設定レベル値Ｓ０よりも小さい停止位置Ａよりも前の再生位置Ｂが存在しない場合があり得る。そこで、図３（ｂ）に図示する場合のように、マイコン２は、停止位置Ａから補正幅Ｔの範囲にレジューム設定部での設定条件を全て満たす位置が存在しないと判断する場合には、ＤＳＰ４を停止位置Ａでの再生音量レベルＳＡを下げるダイナミックレンジ圧縮機能を有効にするように設定し、ディスクドライブ３が再生位置Ａからコンテンツの再生を再開する。一時的にダイナミックレンジ圧縮機能を有効にすれば、レジューム機能でコンテンツの視聴を再開する場合に、コンテンツに含まれる再生音量が著しく大きい停止位置Ａで停止しても、小さい音量で再生が始まるので、ユーザーは突然の大きなコンテンツ音声の音量レベルに驚くことがなく、心理的な負担も小さくすることができる。なお、マイコン２は、ディスクドライブ３が再生位置Ａからコンテンツの再生を再開した所定時間Ｔｆ後に、制御部がＤＳＰ４のダイナミックレンジ圧縮機能を無効にする。
【００３３】
図４は、マイコン２での再生動作中のフローチャートである。ＤＳＰ４のレベル検出機能部８では、ディスクドライブ３がコンテンツを再生している場合に出力音声データの再生音量レベルＳを逐次検出するので、記録媒体再生装置１のマイコン２は、再生音量レベルＳを参照したレジューム再生を可能にする。コンテンツ再生が始まると、マイコン２は再生時間情報をディスクドライブ３から取り込み、内部カウンターｉを０にリセットする（Ｓ００１）。マイコン２は、ＤＳＰ４から再生時の平均した音量レベルＳを取得し（Ｓ００２）、設定レベル値Ｓ０よりも小さいか否かを判断する（Ｓ００３）。音量レベルＳが、設定レベル値Ｓ０以上の場合（Ｓ００３：Ｎｏ）には、音量レベルＳが大きい時間が継続しているので、再び生時間情報をディスクドライブ３から取り込み、内部カウンターｉを０にリセットする（Ｓ００１）。音量レベルＳが、設定レベル値Ｓ０よりも小さい場合（Ｓ００３：Ｙｅｓ）には、内部カウンターｉをインクリメントして（Ｓ００４）、設定レベル値Ｓ０以下の再生音量レベルＳが継続する時間Ｓ０ｔを測定する。また、内部カウンターｉが設定された時間Ｓ０ｔに対応する数値ｍ以上に大きくなる場合（Ｓ００５：Ｙｅｓ）には、現在の再生位置ａをレジューム位置候補ｃとして設定する（Ｓ００６）。一方、内部カウンターｉが設定された時間Ｓ０ｔに対応する数値ｍ以上に大きくならない場合（Ｓ００５：Ｎｏ）には、音量レベルＳが大きい時間が継続的ではないので、再生時間情報をディスクドライブ３から取り込み、内部カウンターｉを０にリセットする（Ｓ００１）。したがって、ディスクドライブ３がコンテンツを再生している場合に、マイコン２は、レジューム位置の候補である再生点ｃを、停止する前に把握することができる。
【００３４】
図５は、マイコン２でのレジューム停止時のフローチャートである。マイコン２は、ディスクドライブ３がレジューム機能を有効にして記録媒体からの再生を停止位置Ａで停止する場合に、ＤＳＰ４の出力をミュートするとともに、ディスクドライブ３を停止位置Ａから所定時間後まで先読み再生を続けさせるように制御し、停止位置Ａを含む所定時間幅における平均値を、出力音声データの再生音量レベルＳＡとして検出することができる。レジューム停止の操作入力がされると（Ｓ１０１）、マイコン２は再生時間情報をディスクドライブ３から取り込み、現在の再生位置を停止位置ａとして記憶する（Ｓ１０２）。マイコン２は、ＤＳＰ４の出力をミュートするとともに、ディスクドライブ３に先読み再生を続けさせて、内部カウンターｉをリセットする（Ｓ１０３）。マイコン２は、ＤＳＰ４から再生時の平均した音量レベルＳを取得し（Ｓ１０４）、設定レベル値Ｓ０よりも小さいか否かを判断する（Ｓ１０５）。音量レベルＳが、設定レベル値Ｓ０以下で小さい場合（Ｓ１０５：Ｙｅｓ）には、内部カウンターｉをインクリメントして（Ｓ１０６）、設定レベル値Ｓ０以下の再生音量レベルＳが継続する時間Ｓ０ｔを測定する。内部カウンターｉが設定された時間Ｓ０ｔに対応する数値ｎ以上に大きくなる場合（Ｓ１０７：Ｙｅｓ）には、停止位置ａをレジューム再生位置Ａとして設定し（Ｓ１０８）、ディスクドライブ３での先読み再生を停止する（Ｓ１０９）。また、内部カウンターｉが設定された時間Ｓ０ｔに対応する数値ｎ以上に大きくならない場合（Ｓ１０７：Ｎｏ）には、再生時間情報をディスクドライブ３から再び取り込む（Ｓ１０４）。
【００３５】
一方、音量レベルＳが、設定レベル値Ｓ０よりも大きい場合（Ｓ１０５：Ｎｏ）には、停止位置ａとレジューム位置候補ｃとの時間差の絶対値を算出し、これが設定されている補正幅Ｔの範囲に入っているか否かを判断する（Ｓ１１０）。つまり、停止位置ａとレジューム位置候補ｃとの時間差の絶対値が補正幅Ｔ以上に大きければ（Ｓ１１０：Ｙｅｓ）、レジューム再生において時間的に遡ることが許容されない範囲外であるから、ＤＳＰ４を停止位置Ａでの再生音量レベルＳＡを下げるダイナミックレンジ圧縮機能を一時的に有効にするように設定し（Ｓ１１１）、停止位置ａをレジューム再生位置Ａとして設定し（Ｓ１０８）、ディスクドライブ３での先読み再生を停止する（Ｓ１０９）。また、停止位置ａとレジューム位置候補ｃとの時間差の絶対値が補正幅Ｔよりも小さければ（Ｓ１１０：Ｎｏ）、レジューム再生において時間的に遡ることが許容される範囲内であるから、再生中に検出しているレジューム位置の候補である再生点ｃを、補正レジューム再生位置Ｂに設定し（Ｓ１１２）、ディスクドライブ３での先読み再生を停止する（Ｓ１０９）。
【００３６】
上記のように、ディスクドライブ３がレジューム機能を有効にして記録媒体からの再生を停止する場合に、マイコン２が、音声制御部の出力をミュートするとともに、媒体再生部を停止位置Ａから所定時間後まで先読み再生を続けさせるように制御するので、停止位置Ａを含む所定時間幅における平均値を、出力音声データの再生音量レベルＳＡとして検出することができる。したがって、停止位置Ａの前後の平均値としての再生音量レベルＳＡを検出することで、停止位置Ａでの瞬間的な再生音量レベルが低くても、ユーザーの音量感に相当する適切な音量でのレジューム再生が可能になる。
【００３７】
図６は、レジューム再生時のフローチャートである。レジューム機能を有効にして再生を再開する操作を検出した場合（Ｓ２０１）には、マイコン２は、レジューム停止時に設定された再生開始位置が、レジューム再生位置Ａまたは補正レジューム再生位置Ｂのいずれかであるかを判断する（Ｓ２０２）。再生を再開する位置として補正レジューム再生位置Ｂが設定されている場合には、この補正レジューム再生位置Ｂから再生を再開する（Ｓ２０３）。つまり、図２（ｂ）に図示するように、レジューム機能を逸脱しない範囲内で、再生音量レベルが小さいところまで時間的に遡るので、音量による心理的な負担をかけることなく継続的にコンテンツの視聴ができるようになる。
【００３８】
一方、再生を再開する位置としてレジューム再生位置Ａが設定されている場合には、一時的にダイナミックレンジ圧縮機能を有効にするように設定されているか否かを判断する（Ｓ２０４）。一時的にダイナミックレンジ圧縮機能を有効にするように設定されている場合（Ｓ２０４：Ｙｅｓ）には、レジューム再生位置Ａから再生を再開し（Ｓ２０５）、所定の時間Ｔｆ経過後に、マイコン２は、ＤＳＰ４のダイナミックレンジ圧縮機能を無効にする（Ｓ２０６）。つまり、図３（ｂ）に図示するように、一時的にダイナミックレンジ圧縮機能を有効にすれば、ディスクドライブ３が再生位置Ａからコンテンツの再生を再開する場合に、コンテンツに含まれる再生音量が著しく大きい停止位置Ａで停止しても、小さい音量で再生が始まるので、ユーザーは突然の大きなコンテンツ音声の音量レベルに驚くことがなく、心理的な負担も小さくすることができる。
【００３９】
また、一時的にダイナミックレンジ圧縮機能を有効にするように設定されていない場合（Ｓ２０４：Ｎｏ）には、レジューム再生位置Ａから再生を再開する（Ｓ２０７）。レジューム設定において、一時的にでもダイナミックレンジ圧縮機能を有効にしないように設定されている場合には、そのダイナミックレンジ圧縮機能の有効／無効の切替設定を尊重して単純なレジューム再生機能にすることができる。
【００４０】
なお、本実施例の記録媒体再生装置１では、ディスクドライブ３を含むプレーヤーであるが、記録媒体としてのＨＤＤ、あるいは、メモリに格納されたコンテンツを再生する再生装置であれば良く、パーソナルコンピューター等の電子計算機であってもよい。また、コンテンツが記録される記録媒体は、記録媒体再生装置とＨＤＭＩあるいはＵＳＢ等の有線通信または無線通信により接続可能な外部装置に含まれるものあってもよく、クラウドコンピューティングを利用するものであってもよい。また、本実施例の記録媒体再生装置１では、制御部であるマイコン２および音声制御部であるＤＳＰ４を含むプレーヤーであるが、マイコン２およびＤＳＰ４は、一つまたは複数のＣＰＵなどであって、制御処理および音声信号処理を行う演算回路であってもよい。
【産業上の利用可能性】
【００４１】
本発明の記録媒体再生装置は、デジタル音声信号含むコンテンツを再生するステレオ装置、あるいは、マルチチャンネルサラウンド音声再生装置のみならず、ディスプレイ等の映像・音響機器、等にも適用が可能である。
【符号の説明】
【００４２】
１        記録媒体再生装置
２        マイコン
３        ディスクドライブ
４        ＤＳＰ
５        出力端子
６        メモリ
７        レジューム機能制御部
８        レベル検出機能部
９        ダイナミックレンジ圧縮機能部９
【図１】
2013225367.tif 000003
【図２】
2013225367.tif 000004
【図３】
2013225367.tif 000005
【図４】
2013225367.tif 000006
【図５】
2013225367.tif 000007
【図６】
2013225367.tif 000008